(57)【要約】【課題】  消費電力ゼロの待機状態から特定の電気機器を起動させる。【解決手段】  リモコン１０に設けられた操作ボタン１１中の電源オンボタンを操作すると、アンテナ１３から電波が発信されるとともに、赤外線発光部１４から被制御機器である電気機器２０を識別する機器ＩＤ情報と電源オン要求を含むリモコン信号が送信される。前記アンテナ１３からの電波に応じて電気機器２０のアンテナ２１には電磁誘導により起電力が発生し、整流回路２２の出力が電力蓄積装置２３に蓄積され、第１のリレー２６を駆動する。これにより第１の制御部２５が起動され、赤外線受光部２４で受光したリモコンコードを解析し、機器ＩＤが一致している電源オン要求であるときには、第２のリレー２８をオンとして第２の制御部２７に商用電源を供給する。これにより、電気機器２０が起動される。【選択図】  図１
2005295289.tif 000002
【特許請求の範囲】
【請求項１】
制御対象の電気機器に対し制御信号を送信するリモコン信号送信部と、電波発信部と、前記電気機器の電源投入を指示する操作ボタンとを有し、
前記電気機器の電源投入を指示する操作ボタンが操作されたときに、前記電波発信部から電波を送出するとともに、前記リモコン信号送信部から前記電気機器の電源投入を指示する信号と前記電気機器を識別する信号とを送出するようになされていることを特徴とするリモートコントロール装置。
【請求項２】
前記電気機器の電源投入を指示する操作ボタン以外にも前記電気機器を制御するための操作ボタンを有し、
前記電気機器の電源投入を指示する操作ボタン以外の操作ボタンが操作されたときには、前記電波発信部から電波が送出されないようになされていることを特徴とする請求項１記載のリモートコントロール装置。
【請求項３】
リモートコントロール装置からの制御信号を受信するリモコン信号受信部と、
前記リモートコントロール装置から発信される電波を受信する受信アンテナと、
前記受信アンテナに流れる電流を整流する整流回路と、
前記整流回路の出力により駆動される第１のリレーと、
前記第１のリレーの駆動により電源が供給される第１の制御部と、
前記第１の制御部により駆動される第２のリレーと、
前記第２のリレーの駆動により電源が供給され、前記リモートコントロール装置からの制御信号に応じて機器の制御を行う第２の制御部とを備えた電気機器であって、
前記第１の制御部は、前記リモートコントロール装置から受信した制御信号に電源を投入することを指示する信号及び自機に対応する電気機器を識別する信号が含まれているときに、前記第２のリレーを駆動するようになされていることを特徴とする電気機器。
【発明の詳細な説明】
【技術分野】
【０００１】
本発明は、リモートコントロール装置及び該リモートコントロール装置により制御される電気機器に関する。
【背景技術】
【０００２】
リモートコントロール装置（以下「リモコン」と呼ぶ。）を装備している電化製品などの電気機器では、不使用時にはリモコンの電源オフの操作でシステムを待機状態（システムを起動するためだけの状態：低消費電力）とし、使用時には機器本体に設けられた操作子による電源オン操作やリモコンからの電源オン信号を受信することによってシステムを待機状態から起動状態（システムの機能が使用できる状態：高消費電力）へ移行させることが一般的に行われている。
本来、機器を使用していない電源オフ時には消費電力が０Ｗであることが理想であるが、電源オフのときでも、リモコンからの制御信号を受信してシステムを起動するためには、システムが待機状態（スタンバイ状態：ＣＰＵが最低限の機能で動作している状態）であることが必要であり、このため多少なりとも電力を消費してしまっている。
【０００３】
そこで、このような待機電力をゼロとすることができる遠隔制御装置が提案されている（特許文献１）。
【特許文献１】特開２００２−２１８６７９号公報
【発明の開示】
【発明が解決しようとする課題】
【０００４】
上記提案されている遠隔制御装置によれば、リモコン送信機からの制御信号電波をアンテナで受信し、アレイ形無電源検波器で取り出したエネルギーで自己保持形半導体リレーを駆動して主電源回路をオンにすることにより、待機消費電力をゼロにすることができる。しかしながら、電波で送信された制御信号を受信する複数の無電源検波器を接続したアレイ形無電源検波器を必要としている。
また、同じエリア内にオーディオ機器、テレビ、ビデオ、エアコンなど複数の電気機器が存在している場合については、何ら考慮されていなかった。
そこで本発明は、消費電力ゼロの待機状態から特定の電気機器を起動させることができるリモートコントロール装置及び電気機器を提供することを目的としている。
【課題を解決するための手段】
【０００５】
上記目的を達成するために、本発明のリモートコントロール装置は、制御対象の電気機器に対し制御信号を送信するリモコン信号送信部と、電波発信部と、前記電気機器の電源投入を指示する操作ボタンとを有し、前記電気機器の電源投入を指示する操作ボタンが操作されたときに、前記電波発信部から電波を送出するとともに、前記リモコン信号送信部から前記電気機器の電源投入を指示する信号と前記電気機器を識別する信号とを送出するようになされているものである。
また、前記電気機器の電源投入を指示する操作ボタン以外にも前記電気機器を制御するための操作ボタンを有し、前記電気機器の電源投入を指示する操作ボタン以外の操作ボタンが操作されたときには、前記電波発信部から電波が送出されないようになされているものである。
さらに、本発明の電気機器は、リモートコントロール装置からの制御信号を受信するリモコン信号受信部と、前記リモートコントロール装置から発信される電波を受信する受信アンテナと、前記受信アンテナに流れる電流を整流する整流回路と、前記整流回路の出力により駆動される第１のリレーと、前記第１のリレーの駆動により電源が供給される第１の制御部と、前記第１の制御部により駆動される第２のリレーと、前記第２のリレーの駆動により電源が供給され、前記リモートコントロール装置からの制御信号に応じて機器の制御を行う第２の制御部とを備えた電気機器であって、前記第１の制御部は、前記リモートコントロール装置から受信した制御信号に電源を投入することを指示する信号及び自機に対応する電気機器を識別する信号が含まれているときに、前記第２のリレーを駆動するようになされているものである。
【発明の効果】
【０００６】
本発明のリモートコントロール装置及び電気機器によれば、電気機器の待機状態における消費電力をゼロ（０Ｗ）にすることができる。
また、リモートコントロール装置から制御対象の電気機器を識別する情報を送信するようにしているため、同一領域内に複数の電気機器がある場合でも、特定の電気機器を起動させることができる。
さらに、電気機器の電源を投入する場合にのみ、リモコン装置から電波を発信するようにしているため、リモコン装置の消費電力を必要最小限に抑えることができる。
【発明を実施するための最良の形態】
【０００７】
図１は本発明のリモートコントロール装置と該リモートコントロール装置により制御される電気機器を示す図であり、（ａ）はリモートコントロール装置、（ｂ）は電気機器の要部構成を示すブロック図である。
図１の（ａ）に示すリモートコントロール装置（リモコン）１０において、１１は被制御機器（電気機器）２０を制御するためにユーザにより操作される各種の操作ボタン、１２はこのリモコン１０の全体を制御する制御部（ＣＰＵ）、１３は所定周波数の電波を送出するためのアンテナ、１４は被制御機器２０を制御するための制御信号（リモコン信号）を送出するための赤外線発光部、１５は電池などの電源である。ここで、前記操作ボタン１１には、被制御機器２０に対し電源の投入を指示する電源オンボタン、被制御機器の電源を切断するための電源オフボタン、その他、被制御機器２０の機能に対応した各種の操作ボタンが含まれている。ここで、前記制御部１２には、このリモコン１０により制御される電気機器を識別するための機器識別情報（機器ＩＤ）が記憶されている。この機器ＩＤとしては、当該電気機器の種別（機種）を識別することができる情報であってもよいし、あるいは、個々の電気機器（電気機器の個体）を識別することができる情報であってもよい。
また、電波発信部となる前記アンテナ１３は例えばループコイル状とされており、前記制御部１２の制御により所定周波数の交流信号が供給されるようになされている。この周波数としては、例えば、無線ＩＣタグ（ＲＦＩＤ：Radio Frequency Identification）などに使用されている数100kHz又は13.56MHzを採用することができる。
【０００８】
図１の（ｂ）は、前記リモコン１０により制御される電気機器（被制御機器）２０の要部構成を示す図である。
電気機器２０において、２１は前記リモコン１０のアンテナ１３から送信される電波を受信し電磁誘導により起電力を発生するアンテナ、２２は該アンテナ２１に発生した交流電流を整流する整流回路、２３は該整流回路２２による整流出力を蓄積する電力蓄積装置、２４は前記リモコン１０の赤外線発光部１４から送信されたリモコン信号を受光する赤外線受光部、２５は該赤外線受光部２４から出力される受信信号が入力される第１の制御部（サブＣＰＵ）、２６は前記電力蓄積装置２３の出力を電源として駆動され、前記第１の制御部２５を商用電源２９に接続する自己保持形の第１のリレー、２７はこの電気機器２０全体の制御を行う第２の制御部（メインＣＰＵ）、２８は前記第１の制御部２５により駆動され、前記第２の制御部２７に商用電源２９を接続する自己保持形の第２のリレーである。なお、これらの各構成要素の他に、この電気機器の機能に応じた構成要素が設けられているが、図示を省略する。例えば、この電気機器２０がオーディオアンプであるときには、該オーディオアンプの機能を実現するための構成要素が設けられる。
【０００９】
ここで、前記アンテナ２１は、例えばループコイル状とされており、前記リモコン１０のアンテナ１３により発生される電磁界に応じて電磁誘導による逆起電力を発生する。この逆起電力により発生した電流は、例えば倍電圧整流回路とされた前記整流回路２２で整流され、該整流出力は、例えばコンデンサである電力蓄積装置２３に蓄積される。前記第１のリレー２６には、感動消費電力が小さい高感度形のリレーが用いられており、前記電力蓄積装置２３に蓄積された電力を電源として駆動されるようになされている。なお、前記整流回路２２の出力により、前記第１のリレー２６を直接駆動することができる場合には、前記電力蓄積装置２３は設けるに及ばない。
さらに、前記第１の制御部２５及び前記第２の制御部２７には、それぞれ、商用電源から所要の動作電圧を発生する電源回路が含まれており、また、前記第１の制御部２５に含まれている電源回路から前記赤外線受光部２４に対してその動作電圧が供給されるようになされている。
【００１０】
このように構成されたリモコン１０と電気機器２０とからなるシステムの動作について説明する。
前記電気機器２０は不使用状態のときに電源がオフ状態とされているものとする。すなわち、前記第１のリレー２６及び前記第２のリレー２８はともに駆動されておらず、第１の制御部２５、赤外線受光部２４及び第２の制御部２７には電源が供給されておらず、電気機器２０の消費電力はゼロ（０Ｗ）である。この状態が本発明における待機状態である。
ユーザーが前記操作ボタン１１中に設けられている電気機器２０の電源をオンとする操作ボタン（電源オンボタン）を押圧すると、前記リモコン１０の制御部１２は、該電源オンボタンが操作されたことを検出して、前記アンテナ１３から前記所定の周波数の電波を送出させるとともに、前記赤外線発光部１４から電気機器２０に対応する機器ＩＤの情報と電気機器２０の電源をオンとすべきことを指示する制御信号をリモコン信号として送信する。なお、このとき、前記電源をオンとすべきことを指示する制御信号を、その送信タイミングを前記電波の発信開始よりも所定時間遅らせて送信するか、あるいは、所定回数繰り返して送信するようになされている。
【００１１】
前記リモコン１０のアンテナ１３により生成された電磁界に応じて、前記電気機器２０のアンテナ２１には電磁誘導による逆起電力が発生する。この逆起電力により前記アンテナ２１に流れる電流は前記整流回路２２で整流され、前記電力蓄積装置２３に蓄積される。そして、前記第１のリレー２６を駆動することのできる電力が前記電力蓄積装置２３に蓄積されると、前記第１のリレー２６が駆動され、商用電源２９が前記第１の制御部（サブＣＰＵ）２５に接続される。これによりサブＣＰＵ２５と前記赤外線受光部２４が動作を開始し、リモコン１０の赤外線発光部１４からのリモコン信号の受光処理が開始される。前記リモコン１０のアンテナ１３による電波の送信が開始されてから第１の制御部２５の電源が投入されリモコン信号の処理が開始されるまでに、リレーの駆動時間や立ち上がり時間などによる遅延が生じるが、前述のように、電源をオンとすべきことを指示する制御信号の送信タイミングが所定時間遅延されているか、あるいは、該制御信号は複数回繰り返して送信されているため、第１の制御部２５は該電制御信号の受信を確実に行うことができる。
このように、本発明によれば、前記リモコン１０のアンテナ１３から電波を送信することで、電気機器２０の第１のリレー２６を駆動する電力を供給するようにしているので、前記電気機器２０の待機電力を０Ｗにすることができる。
【００１２】
なお、電気機器２０が起動している状態にあるときに、ユーザーが前記電源オン以外の所望の操作を行うために前記リモコン１０の操作ボタン１１を押圧したときには、前記制御部１２の制御により前記赤外線発光部１４からその操作ボタンに対応するリモコン信号が送信されるが、そのときには前記アンテナ１３から電波が送信されることがないようになされている。このように、被制御機器である電気機器２０の電源をオンとするリモコン信号を送信する時にのみ、前記アンテナ１３から電波が送信されることとなり、前記リモコン１０の電源１５の消耗を防ぐことができる。
また、前述した機器ＩＤについては、全てのリモコン信号とともに送信するようにしてもよいし、電源をオンとするリモコン信号以外のリモコン信号のときには送信しないようにしてもよい。全ての制御信号とともに機器ＩＤを送信するようにした場合には、全てのリモコン信号が従来のリモコン信号（機器ＩＤを含まない）とは異なるフォーマットとなる。一方、電源をオンとするリモコン信号のみが機器ＩＤを含む構成とした場合には、電源をオンとするリモコン信号のフォーマットのみが他のリモコン信号のフォーマットとは異なる特殊なものとなり、該リモコン信号はサブＣＰＵ２５で解析し、通常のリモコン信号はメインＣＰＵ２７で解析することとなる。この方式によれば、従来の電気機器の変更箇所を少なくすることができる。
【００１３】
図２は、前記電気機器２０の第１の制御部（サブＣＰＵ）２５において実行される処理のフローチャートである。
前述のように、電源オフ状態から前記電波によって前記第１のリレー２６が駆動されることにより起動されると、前記サブＣＰＵ２５は、前記赤外線受光部２４にで受光されているリモコン信号を入力してそれを解析する（ステップＳ１）。そして、受光したリモコン信号が予め規定されているフォーマットであるか否かについて判定し（ステップＳ２）、所定のフォーマットでないときは、第１のリレー２６をオフ状態とする（ステップＳ８）。これにより、第１の制御部２５及び前記赤外線受光部２４は再び電源オフ状態となる（ステップＳ９）。
一方、規定のフォーマットのリモコン信号であるときは、そのリモコン信号の種類を判定し、送られてきたリモコン信号が電源オン要求であるか否かを判定する（ステップＳ３）。
その結果、電源オン要求のリモコン信号であるときには、そのリモコン信号に含まれている機器ＩＤを抽出し（ステップＳ４）、該機器ＩＤがこの電気機器に対応する機器ＩＤと一致するか否かを判定する（ステップＳ５）。
【００１４】
ステップＳ５における照合の結果、機器ＩＤが一致しており、この電気機器２０に対する電源オン要求である場合には、前記第２のリレー２８をオン状態とする制御信号を出力し（ステップＳ６）、前記第２の制御部（メインＣＰＵ）２７に商用電源２９を接続する。これにより、メインＣＰＵ２７が動作を開始し、以後、メインＣＰＵ２７が前記赤外線受光部２４で受光したリモコン信号を解釈して、それに対応した制御を行うこととなる。
一方、前記ステップＳ５の判定結果がＮＯ、すなわち、リモコン信号に含まれている機器ＩＤがこの電気機器２０のものと一致しない場合には、前記第１のリレーをオフとする制御信号を出力し（ステップＳ８）、再び電源オフ状態に戻る。
【００１５】
また、前記ステップＳ３の判定結果がＮＯのとき、すなわち、受信したリモコン信号が電源オン要求以外のものである場合には、メインＣＰＵ２７が起動済みであるか否かを判定し（ステップＳ１０）、起動済みであるときには、そのリモコン信号をメインＣＰＵ２７に渡す（ステップＳ１１）。メインＣＰＵ２７は、そのリモコン信号に対応する制御を行うこととなる（ステップＳ１２）。また、メインＣＰＵ２７が起動されていないときは、第１のリレー２６をオフ状態とし（ステップＳ８）、再び電源オフ状態に戻る。
【００１６】
このように、本発明においては、赤外線と電波を送信可能なリモコンを用いて、赤外線と電波を受信可能な電気機器に対して機器ＩＤを含む赤外線のリモコン信号と電波を送信するようにしている。そして、電気機器では、待機電力０Ｗの状態から電磁誘導により発生した起電力を用いて第１のリレーを駆動して第１の制御部を動作させ、リモコン信号を受信し、該リモコン信号に含まれている機器ＩＤが自機に対応する機器ＩＤと一致するときに、機器全体を制御する第２の制御部を起動するようにしている。
これにより、電源オフとされた完全に消費電力０Ｗの待機状態からでも電気機器を起動することができるようになる。
また、機器ＩＤの照合を行い、ＩＤが一致したときのみ第２の制御部を起動するようにしているため、同様に電波の起電力を利用して起動する電気機器が同一エリア内に複数存在している場合でも、特定の電気機器を起動することが可能となる。
【００１７】
なお、上述した実施の形態においては、リモコンから電磁誘導による電力の供給を受ける場合について説明したが、これに限られることはなく、リモコンからマイクロ波（例えば、2.5GHz帯のマイクロ波）などの電波を送信するようにし、該電波を受信し検波して得た電力を前記第１のリレーの駆動電力とするようにしてもよい。
また、前記第１及び第２のリレーとして電磁リレーではなく、自己保持形の半導体リレー回路を用いるようにしてもよい。
さらに、上述した実施の形態においては、リモコン信号を赤外線により送信する場合について説明したが、超音波や電波によりリモコン信号を送信する場合にも同様に適用することができる。
【図面の簡単な説明】
【００１８】
【図１】本発明のリモートコントロール装置と該リモートコントロール装置により制御される電気機器の構成を示す図であり、（ａ）はリモートコントロール装置、（ｂ）は電気機器の要部構成を示すブロック図である。
【図２】第１の制御部（サブＣＰＵ）により実行される処理のフローチャートである。
【符号の説明】
【００１９】
１０：リモートコントロール装置、１１：操作ボタン、１２：制御部（ＣＰＵ）、１３：アンテナ、１４：赤外線発光部、１５：電源、２０：電気機器本体、２１：アンテナ、２２：整流回路、２３：電力蓄積装置、２４：赤外線受光部、２５：第１の制御部（サブＣＰＵ）、２６：第１のリレー、２７：第２の制御部（メインＣＰＵ）、２８：第２のリレー、２９：商用電源
【図１】
2005295289.tif 000003
【図２】
2005295289.tif 000004